(57)【特許請求の範囲】
【請求項１】
一対の凹部及び凸部からなり、磁力により長軸方向に相互に引き合うよう各々にマグネットを設けた装身具用の連結部品であって、
前記凹部の内側にピンを設け、前記凸部の上部外面に前記ピンと接触させるためのエッジを設け、
前記ピンが前記エッジの任意の位置に接触すると、磁力により前記ピンが前記エッジに沿って移動して安定位置に誘導されることで係合され、更に、
前記ピンが前記安定位置から長軸方向へ移動する場合に、前記ピンの移動を阻止する固定部を設け、
前記エッジが、前記凸部の上部外面に設けた溝が有する壁の一部を形成し、
前記凸部の上部端から前記安定位置に向けて、前記エッジに沿って前記溝の幅が細くなるように、前記溝の一部が形成されたことを特徴とする、装身具用連結部品。
【請求項２】
請求項１に記載の装身具用連結部品であって、
前記ピンが、曲面部と平面部とを含む略半円筒形状を有し、
前記ピンが、前記曲面部の一部が前記エッジと接触しながら前記安定位置に誘導され、更に、前記安定位置から前記ピンが長軸方向に移動する際に、前記平面部が前記固定部の一部と当接することで、前記ピンの長軸方向への移動が阻止されることを特徴とする、装身具用連結部品。
【請求項３】
前記ピンが、前記長軸方向に対して斜めに取り付けられている、請求項２に記載の装身具用連結部品。
【請求項４】
前記エッジの一部が更に丸みを有している、請求項１から３のいずれか一項に記載の装身具用連結部品。
【請求項５】
前記エッジを前記凸部の上部外面に３つ設けた、請求項１から４のいずれか１項に記載の装身具用連結部品。
【請求項６】
前記凹部及び前記凸部の接触縁部が、同じ勾配のテーパー形状を有する、請求項１から５のいずれか１項に記載の装身具用連結部品。
【請求項７】
装身具用の連結部品を位置合わせ不要に連結する方法であって、前記連結部品がリング状の一対の凹部及び凸部を備え、磁力により長軸方向に相互に引き合うよう各々にマグネットが設けられており、前記凹部に対して前記凸部が接近されると、
前記凹部に対して前記凸部が、前記各マグネットの磁力に従って長軸方向に挿入されるステップと、
前記凹部の内側に設けられたピンが前記凸部の上部外面に設けられた１つ以上のエッジの任意の位置に接触すると、前記ピンが、前記１つ以上のエッジの内いずれか１つに振り分けられるステップと、
前記ピンが、更に、前記各マグネットの磁力に従って、前記振り分けられたエッジに沿って移動され、該エッジの終端に位置する安定位置に誘導されて係合されるステップと、
を含み、
前記エッジが、前記凸部の上部外面に設けた溝が有する壁の一部を形成し、
前記凸部の上部端から前記安定位置に向けて、前記エッジに沿って前記溝の幅が細くなるように、前記溝の一部が形成されることを特徴とする、方法。
【請求項８】
請求項７に記載の方法であって、前記凸部には、前記安定位置の長軸方向に固定部を設けられ、更に、
前記長軸方向に力が加えられている間、前記ピンを前記安定位置から長軸方向へ移動させて前記固定部の一部と当接させ、前記ピンの移動を阻止するステップを含む、方法。
【請求項９】
請求項１から６のいずれか一項に記載の装身具用連結部品であって、前記凸部が、前記エッジを有した上側部材と中空式の下側部材とを備え、前記上側部材と前記下側部材を前記長軸方向に接合することで形成される、装身具用連結部品。
【請求項１０】
請求項９に記載の装身具用連結部品であって、前記上側部材が前記長軸方向に中空貫通式の形状であり、前記上側部材の下部に有する開口部の周縁に前記下側部材と接合するための接合部を設け、前記上側部材の接合部を、前記下側部材の上部に有する開口内部において前記下側部材に接合させることを特徴とする、装身具用連結部品。
【請求項１１】
請求項１０に記載の装身具用連結部品であって、更に、前記接合部に１又はそれ以上の溝を設けると共に前記下側部材の開口内部に１又はそれ以上の第２のピンを設け、前記溝に前記第２ピンを位置合せして前記上側部材及び前記下側部材を接合させることを特徴とする、装身具用連結部品。
【発明の詳細な説明】
【技術分野】
【０００１】
本発明は、ネックレスをはじめとする装身具が有する、一対の凹部及び凸部から成りマグネットにより装着及び脱着を自在とした連結部品に関するものである。より詳細には、当該連結部品の凹部及び凸部を接近させるだけで位置合わせ不要に容易に自動装着可能とし、また、長軸を中心に捻るだけで容易に脱着可能とする連結部品に関するものである。
【背景技術】
【０００２】
従来技術の装身具連結部品として、図２Ａ及び２Ｂに参照されるようなリング状の連結部品がある。当該連結部品は、突起１１１を有するリング部材１１を、内側上面に溝１２１を有する中空式リング部材１２に挿入することにより係合できる。これらを係合させる際は、突起１１１を溝１２１に手動で位置合わせして挿入し（１２０Ａ）、更に手動で水平方向に捻ることにより溝の終端部で係止させる（１２０Ｂ）。
【０００３】
また、〔特許文献１〕に開示されるように、突起部を１つの係合部品の外側に設け、また、これに対応する他方の係合部品に切り欠き部を設ける装身具用の留金具もある。そして、更に、それぞれに永久磁石を設けるものもある。当該〔特許文献１〕では、切り欠き部の溝を傾斜させ、更に、永久磁石の磁力を利用することで、係合部品を誘導吸着して突起部を係止させるものであるが、２つの部品を係合させる際には、やはり手動で位置合わせを行わなければならない。
【先行技術文献】
【特許文献】
【０００４】
【特許文献１】登録実用新案第３１０８６３２号
【発明の概要】
【発明が解決しようとする課題】
【０００５】
しかしながら、上記のような従来技術の装身具連結部品は、以下のような課題を有している。即ち、
（１）ピン１１１がリング部材１１の外部に露出して設けられているために、装着時の指操作によっては、ピンを人の指や衣服に引っ掛けてしまい、これらを痛めてしまうこと、
また、（２）図２Ｂのように中空式リング部材内部にエッジを精密に設けなければならず、デザイン上・製造上の制約を伴い、また、連結部品の小型化・軽量化の妨げとなっていること、
更に、（３）〔特許文献１〕のような切り欠き部を設ける場合に、連結時の係合状態が外部に露出されてしまい外見上好ましくないこと、及び、
更に、（４）ピン１１１をエッジ１２１に挿入させるためには、挿入操作時に、人の指でエッジ１２１に対するピン１１１の位置を手探りで手動調整、即ち位置合わせしなければならないこと、という課題である。
【課題を解決するための手段】
【０００６】
本発明の装身具用連結部品は、上記課題を解決するために、リング状の一対の凹部３１及び凸部３２からなり、磁力により長軸方向に相互に引き合うよう各々にマグネット３４、３５を設けている。そして、当該装身具用連結部品は、凹部３１の内側にピン３１１を設け、凸部３２の上部外面に当該ピン３１１と係合させるためのエッジ３２１を設け、凹部３１と凸部３２とを連結させる際、磁力により凹部３１と凸部３２とが引き合い、ピン３１１が当該エッジ３２１の任意の位置に接触すると、磁力によりピン３１１がエッジ３２１に沿って移動してエッジ３２１の終端に位置する安定位置３２３に誘導されてエッジ３２１と係合され、更に、ピン３１１が当該安定位置３２３から長軸方向へ移動する場合に、ピン３１１の移動を阻止する固定部３２２を当該安定位置３２３の長軸方向に設けたことを特徴とする。
【０００７】
また、本発明の装身具用連結部品では、上記凹部３１が有するピン３１１が、曲面部３５０ａと平面部３５０ｂとを含む略半円筒形状を有しており、上記凸部３２では、当該曲面部３５０ａの一部がエッジ３２１と接触してピン３１１を安定的に安定位置３２３に誘導でき、更に、当該安定位置３２３からピン３１１が固定部３２２に長軸方向に押し上げられるように移動すると、平面部３５０ｂが固定部３２２の一部と当接することで、ピン３１１の長軸方向への移動が阻止されることを特徴とする。
【０００８】
更に、本発明の装身具用連結部品では、上記ピン３１１を長軸方向に対して斜めに取りつけて、ピン３１１の安定位置３２３への誘導をより滑らかにし、また、ピン３１１と固定部３２２との当接状態をより強化する。
【０００９】
更に、本発明の装身具用連結部品では、上記エッジ３２１が漏斗形状をし、更にはその一部が丸みを有することを特徴とし、これによりピン３１１の安定位置３２３への誘導が更に滑らかなものとなる。また、脱着時のピンの動作も滑らかなものとなる。
【００１０】
更に、本発明の装身具用連結部品を位置合わせ不要に連結する方法において、リング状の一対の凹部３１及び凸部３２を備え、磁力により長軸方向に相互に引き合うよう各々にマグネット３４、３５が設けられており、凹部３１に対して凸部３２が接近されると、凹部３１に対して凸部３２が各マグネット３４、３５の磁力に従って長軸方向に挿入されるステップと、凹部３１の内側に設けられたピン３１１が凸部３２の上部外面に設けられた１つ以上の漏斗形状のエッジ３２１の任意の位置に接触すると、当該ピン３１１が、当該１つ以上のエッジ３２１の内いずれか１つに振り分けられるステップと、当該ピン３１１が、更に、各マグネット３４、３５の磁力に従って、振り分けられたエッジ３２１に沿って移動され、当該エッジの終端に位置する安定位置３２３に誘導されて、エッジ３２１に係合されるステップとを含んでいる。これにより、凹部３１に対して凸部３２が回転しながら挿入されて、自動的に連結される。
【００１１】
更に、本発明の装身具用連結部品において、凸部５２（３２）が、エッジを有した長軸方向に中空貫通式の上側部材５５と中空式の下側部材５６とを備え、上側部材５５と下側部材５６を長軸方向に接合することで形成される。より具体的には、本発明の装身具用連結部品において、上記上側部材５５の下部に有する開口部５５３の周縁に上記下側部材５６と接合するための接合部５５２を設け、当該接合部５５２を下側部材の上部に有する開口５６１内部に押し込むことで上側部材５５及び下側部材５６を接合させることを特徴とする。    
【発明の効果】
【００１２】
本発明により、（１）凹部３１の内側にピン３１１を設けることで、指や衣服にピン３１１が引っ掛かることを防止し、また、指触りの良いものにすることができる。
【００１３】
また、（２）凸部３２の上部外面にピン３１１と係合するためのエッジ３２１を設けるようなシンプルな構造とすることで、連結部品の製造が容易になるばかりでなく、連結部品の小型化・軽量化を可能にし、これにより生産性の問題を解消することができる。
【００１４】
更に、（３）これらの凹部３１と凸部３２を連結させることにより、連結状態では、ピン３１１やエッジ３２１が完全に内部に隠れ、外部からは係合の態様を視認できなくなることから、デザイン性を向上させることができる。
【００１５】
更に、（４）凹部３１と凸部３２とを長軸方向に接近させ、ピン３１１がエッジ３２１の任意の位置に接触すると磁力により当該ピン３１１がエッジ３２１に沿って移動して安定位置３２３に誘導されるため、人の操作による凹部３１と凸部３２の位置合わせを不要にできる。即ち、凹部３１と凸部３２とを長軸方向に接近させるだけでピン３１１を自動的に安定位置３２３に誘導できる。
【００１６】
更に、（５）安定位置３２３の長軸方向に固定部３２２を設けることで、ピン３１１の長軸方向への移動を阻止できるようなロック機構が提供され、即ち、何かのはずみで凹部３１又は凸部３２が長軸方向へ引っ張られたとしても簡単に外れるようなことは生じない。
更に、（６）安定位置３２３に位置している連結状態の凹部３１と凸部３２との内いずれか一方を軽く長軸を中心に捻るだけで、容易に脱着できる。
【００１７】
更に、（７）凹部３１及び凸部３２の接触縁部を、同じ勾配のテーパー形状とすることで、凹部３１と凸部３２を連結する際に、毛髪等が接触縁部に存在していても、当該テーパー形状により外側に押し出すようになるため、毛髪等を挟みにくくすることができる。
【００１８】
更に、（８）凸部５２（３２）を、エッジを有した中空貫通式の上側部材５５、及び中空式の下側部５６の２パーツからなる部品構成とすることにより、凸部５２を軽量化することができ、また、凸部５２が故障した際の部品の交換を容易にすることができる。
【図面の簡単な説明】
【００１９】
【図１】図１は、本発明の一実施形態の装身具用連結部品における凹部に設けられたピンが凸部に設けられたエッジ上で安定位置に誘導されて係合され、更に固定部において固定される一連の様子を示した模式図である。
【図２Ａ】図２Ａは、従来技術における装身具用連結部品の断面図である。
【図２Ｂ】図２Ｂは、従来技術における装身具用連結部品が備える中空式リング部材を示す斜視図である。
【図３Ａ】図３Ａは、本発明の第１実施形態の装身具用連結部品における凹部及び凸部を示す斜視図である。
【図３Ｂ】図３Ｂは、本発明の第１実施形態の装身具用連結部品における凹部及び凸部それぞれの側面図及び底面図である。
【図３Ｃ】図３Ｃは、本発明の第１実施形態の装身具用連結部品における凹部及び凸部が連結している状態を示す模試図である。
【図４】図４は、本発明の第１実施形態の装身具用連結部品を用いたネックレスの模式図である。
【図５Ａ】図５Ａは、本発明の第１実施形態の装身具用連結部品における凹部に設けられたピンの一実施例を示す模試図である。
【図５Ｂ】図５Ｂは、発明の第１実施形態の装身具用連結部品における凹部に設けられたピンの各種変形例を示す断面図である。
【図６Ａ】図６Ａは、本発明の第１実施形態の装身具用連結部品における凸部に設けられたエッジについての展開図の一実施例である。
【図６Ｂ】図６Ｂは、本発明の第１実施形態の装身具用連結部品における凸部に設けられたエッジについての展開図の別の実施例である。
【図７Ａ】図７Ａは、従来技術の第１実施形態の装身具用連結部品における凹部及び凸部が連結する際の接触縁部の模式図である。
【図７Ｂ】図７Ｂは、本発明の第１実施形態の装身具用連結部品における凹部及び凸部が連結する際の接触縁部の模式図である。
【図８Ａ】図８Ａは、本発明の第２実施形態の凹部及び凸部の側面図及び底面図である。
【図８Ｂ】図８Ｂは、本発明の第２実施形態の凹部で用いられるピンの拡大図である。
【図９】図９は、本発明の第２実施形態の凸部が上側部材と中空式の下側部材とに分離された状態を示した正面図である。
【図１０】図１０は、本発明の第２実施形態における、接合部に長軸方向の溝を備えた上側部材の斜視図である。
【図１１】図１１は、本発明の第２実施形態において凸部を上側部材と下側部材を長軸方向に接合することで形成する様子を示した概略図である。
【図１２】図１２は、本発明の第２実施形態における凹部、並びに上側部材及び下側部材を備えた凸部がそれぞれ分離した状態を示した斜視図である。
【発明を実施するための形態】
【００２０】
（第１実施形態）
本発明の第１実施形態に係る装身具用連結部品を図面を参照しながら説明する。尚、以下の実施形態は例示に過ぎず、特許請求の範囲に記載の発明がこれに限定されるものではない。
【００２１】
図３Ａは、本発明の第１実施形態における装身具用連結部品を示している。当該連結部品は、中空リング部材である凹部３１及びリング部材である凸部３２の対からなる。図示のとおり、凹部３１には内部に１つ以上のピン３１１が設けられ、また、凸部３２には上部外面に１つ以上のエッジ３２１が設けられている。後述のとおり、これら凹部３１及び凸部３２を連結させるために、ピン３１１が当該エッジ３２１の任意の位置に接触すると、ピン３１１がエッジ３２１に沿って移動し、エッジ３２１の終端に位置する安定位置３２３に誘導されて係合される。また、当該安定位置３２３の長軸方向には、ピン３１１が安定位置３２３から長軸方向へ移動する場合に当該ピン３１１の移動を阻止するための固定部３２２が設けられており、当該固定部３２２が、凹部３１と凸部３２の連結状態におけるロック機構を提供する。
【００２２】
尚、ピン３１１及びエッジ３２１は、それぞれ１つ以上設けているが、連結の機能及び軽量化の観点では、好ましくは、エッジ３２１を３つ設け、またピン３１１の数を３つとするのがよい。しかしながら、これに限定されることはなく、例えば軽量化のためそれぞれ２つとしてもいいし、それ以外にもそれぞれ４つ以上設けてもいいことは言うまでもない。
【００２３】
図３Ｂは、これら一対の凹部３１及び凸部３２の側面図及び底面図を示している。一対の凹部３１及び凸部３２には、磁力により長軸方向に相互に引き合うよう各々の接触面にマグネット３４，３５が設けられており、凹部３１と凸部３２とが長軸方向に沿って接近するだけで、これらマグネット３４，３５による磁力に従って、凸部３２と凹部３１とが引き合い、更に、凹部３１が内側に有するピン３１１が、凸部３２が上部外面に有するエッジ３２１の任意の位置に接触すると、ピン３１１は、これらマグネット３４，３５による磁力に従ってエッジ３２１に沿って移動して、エッジ３２１の終端に位置する安定位置３２３に安定的に誘導される。ここで、エッジ３２１の終端に位置する安定位置３２３とは、磁力によりピン３１１がエッジ３２１に対して安定して係合される位置のことである。凹部３１と凸部３２とが連結されており、長軸方向に力が加わっていない定常状態において、ピン３１１は当該安定位置３２３に位置することとなる。
【００２４】
このように、本実施形態は、ピンの位置合わせを必要とすることなく、凹部３１に対して、凸部３２が接近されると、磁力に従って凸部３２が回転しながら自動的に凹部３１に挿入されて、最終的には、安定位置３２３において自動的に凹部３１に凸部３２を連結させることができるという特徴を有している。
【００２５】
図３Ａでは凹部３１及び凸部３２が分離しているのに対し、図３Ｃは、これらが連結している状態を示している。図示のとおり、連結状態では、ピンやエッジは完全に内部に隠れていており、係合の様子を外部から視認することはできない。
【００２６】
これら凹部３１及び凸部３２は、更に、ネックレス等と接合するための接合部３３，３３’をそれぞれ備えており、図４は、当該接合部３３，３３’に接合した本実施形態の装身具用連結部品を用いたネックレスを示している。
【００２７】
図５Ａは、ピン３１１の形状の一実施例を示している。ピン３１１は、図６Ａ及び６Ｂで後述するエッジ３２１の形状との関係で、曲面部３５０ａ及び平面部３５０ｂ、及び底面部３５０ｃを含む略半円筒形状を有するのが望ましいが、これに限定されない。即ち、図５Ａに示したピン３１１の断面図は、図５Ｂに示す通り、円周の一部とその弦とからなる形状３５１とするものであるが、これに限定されることなく任意の形状とすることができ、その変形例として同じく図５Ｂに示すとおり、八角形状３５２をはじめとした多角形状、三日月形状３５３をはじめとした複数の曲線からなる形状、扇形状３５４をはじめとした任意の数の直線と曲線からなる形状、円形状や楕円形状３５５といった曲線形状とすることができる。
【００２８】
尚、ピン３１１は、底面部３５０ｃにおいて凹部３１の内側表面と接着されている。
また、図５Ａに示され、また図５Ｂに示される円周の一部とその弦とからなる形状３５１を有するピン３１１は、図６Ａ及び６Ｂで後述する固定部３２２、３２２’において最適に当接させるために、長軸方向に対して角度θほど傾斜して斜めに取り付けられる。
【００２９】
図６Ａ及び６Ｂは、本発明の実施形態におけるエッジ３２１の展開図を示している。図６Ａ及び６Ｂ共に４つのエッジを有するものとして示している。図示のとおり、各エッジ３２１は、漏斗形状６０を有している。更に、当該漏斗形状のエッジの一部が更に丸み６１を有している。このような構成により、上記ピン３１１がエッジ３２１の任意の位置に接触すると、ピン３１１をその後エッジ３２１に沿って安定的に移動させることができる。そして、エッジ３２１の終端には、それぞれ安定位置３２３、３２３’が配置され、エッジ３２１に沿って移動させたピン３１１は、当該安定位置３２３、３２３’に安定的に誘導される。当該安定位置３２３、３２３’に対し、更に、長軸方向に固定部３２２，３２２’が設けられており、人が凸部３２を引っ張る等、ピン３１１に対して長軸方向に力が加えられることで、安定位置３２３、３２３’に位置しているピン３１１を当該固定部３２２，３２２’に長軸方向に押し上げるように移動させて、その間ピン３１１を固定する構造を有しており、このような固定部３２２、３２２’はロック機構として機能し、ピン３１１の長軸方向への移動を阻止するようにピン３１１をロックすることができる。
【００３０】
図６Ａ及び６Ｂのとおり、当該固定部３２２，３２２’は、長軸方向へのガイド線４５０及び角度θの傾斜を設けた傾斜線４６０，４６０’を有する溝で構成される。
ここで、ピン３１１の断面図を、図５Ｂに示す円周の一部とその弦とからなる形状３５１を有する形状とした場合、即ち、ピン３１１が有する形状を、図５Ａのような曲面部３５０ａと平面部３５０ｂとを含む略半円筒形状とした場合、図６Ａに示すとおり、固定部３２２の形状は、安定位置３２３においてピン３１１が長軸方向に移動する場合に、平面部と固定部とが密着し、その当接面積が最も大きくなるように当接する形状とすることができ、これによりピン３１１の長軸方向の移動を効果的に阻止できる。この実施については、図１の説明において後述する。
【００３１】
また、ピン３１１の断面を、図５Ｂに示す円（もしくは楕円３５５）、即ち、球体の形状とした場合には、当該球体のピン３１１との当接面積を最大化するよう、固定部３２２’の一部に更に丸みを持たせ、ガイド線４５０に対して角度θの傾斜を設けた傾斜線４６０’を曲線としている。
【００３２】
尚、当接状態にあるピン３１１は、固定部３２２，３２２’の溝のこのような構造により、長軸を中心とした捻る方向に力を加えるだけで容易にロック機構が解除され、凹部３１と凸部３２との脱着を容易にすることができる。
【００３３】
図１は、本実施形態の装身具用連結部品における凹部３１に設けられたピン３１１が凸部３２に設けられたエッジ３２１上で安定位置３２３に誘導されて係合され、その後、安定位置３２３において、ピン３１１に対して長軸方向に力が加えられると長軸方向の固定部３２２に押し上げられて当接され、固定部３２２の一部と当接される様子を示した模式図である。
【００３４】
即ち、（０）凹部３１に対して凸部３２が、当該凹部３１及び凸部３２の接触面にそれぞれ設けられたマグネット３４、３５の磁力に従って長軸方向に接近されて、凹部３１に対して凸部３２が挿入され（図示せず）、そして（１）ピン３１１がエッジ３２１の任意の位置に接触すると、当該ピン３１１はいずれか１つのエッジ３２１に振り分けられ、次いで、（２）マグネット３４，３５の磁力に従って、更にピン３１１がエッジ３２１に沿って移動し、エッジ３２１の終端に位置する安定位置３２３１に誘導されて係合される。ここまでの一連の動作は、凹部３１及び凸部３２が長軸方向に接近しさえすれば、ピン３１１がエッジ３２１のいずれかの部分に接触するため、特段手動による位置合わせを行う必要がなく、凹部３１に対して、凸部３２が回転しながら挿入されて自動的に連結される。そして、（３）安定位置３２３において、ピン３１１に対して長軸方向に力が加えられることで、ピン３１１が長軸方向の固定部３２２に押し上げられるように移動させて固定部４３に当接させ、力が加えられている間、固定部３２２において、ピン３１１が最適にロックされ、ピン３１１の長軸方向の移動が阻止される。
【００３５】
尚、エッジ３２１の終端に位置する安定位置３２３とは、磁力によりピン３１１がエッジ３２１に対して安定して係合される位置のことである。凹部３１と凸部３２とが連結され定常状態にある場合には、ピン３１１は当該安定位置３２３に位置することになる。即ち、上記（３）の後に、ピン３１１に対する長軸方向の力が加えられなくなった場合には、磁力により、ピン３１１は安定位置３２３に押し下げられ、再び、当該安定位置３２３においてエッジ３２１と係合される状態となる。
【００３６】
図７Ｂは、本実施形態の装身具用連結部品の凹部３１と凸部３２とが連結される際の接触縁部を示している。従来技術においては、図７Ａに示すとおり、接触面は長軸方向に対して垂直方向に設けられていた。しかしながら、このような従来技術の構造とした場合、凹部３１と凸部３２とを連結しようとした場合に、毛髪等が挟まってしまうという課題があった。尚、図中の黒丸は毛髪等を示している。
【００３７】
そこで、装身具用連結部品の変形例では、図７Ｂに記載のとおり、凹部３１及び凸部３２の接触縁部が、同じ勾配のテーパー形状となるような構造を有している。このような構造により、凹部３１と凸部３２とを連結する際に、仮に毛髪等が接触縁部に存在していても、テーパー形状により外側に押し出すようになるため、毛髪等を挟みにくくすることを可能にする。
（第２実施形態）
第２実施形態では、凸部のうちエッジを有する部分（即ち、上部外面部分）に、軽量化のために更に溝を設けている。また、第２実施形態の凸部は、エッジを有した上部外面を備えた中空貫通式の上側部材と、それ以外の中空式の下側部材との２つの部材を備えており、当該凸部が上側部材と下側部材を長軸方向に接合することで形成される。尚、本実施形態においては、凹部及び凸部の連結形態及び凹部及び凸部の接触縁部の形状については第１実施形態と変わるところがないため、説明を省略する。
【００３８】
以下、図８〜１３Ｃを用いて第２実施形態に係る装身具用連結部品を詳細に説明する。
図８Ａは、本実施形態における凹部５１及び凸部５２の側面図及び底面図をそれぞれ示しており、第１実施形態における図３Ｂに対応している。
【００３９】
凹部５１では、開口部内側にピン５１１を設けている。図示のとおり、ここではピン５１１を３つ設けており、また、これに対応して凸部５２のエッジも３つ設けている。また、取り外し可能なマグネット５４がマグネット用爪（図示せず）によって固定されている。ピン５１１は、図８Ｂの拡大図に示すとおり、図３Ｂのピン３１１に比べて連結時に凹部５１の内側の壁に接触する面積が大きくなるように断面が台形状の土台５１２を設けている。
【００４０】
図８Ａにおいて、凸部５２のうちエッジを有する上部外面部分５２１に更に少なくとも１つの溝５２５（５２５’）を設けている。尚、溝５２５（５２５’）の形状は、任意のものでよく、直線、曲線及びこれらの組み合わせで形成することができる。また、図８Ａでは、５２５と５２５’の２つの溝を設けたが、１つの溝を形成してもよいことは言うまでもない。凸部５２のうちエッジを有する上部外面部分５２１には、更に、マグネット５５を固定するための２つのマグネット用爪５２７を設けている。後述のとおり、上部外面部分５２１は長軸方向に中空貫通式の形状とすることができ、この場合に、この２つのマグネット用爪５２７でマグネット５５を固定できる。尚、このマグネット用爪は、凸部５２の開口部内側にも１又はそれ以上設けることができるが、ここでは図示していない。
【００４１】
本実施形態において、このように上部外面部分５２１に溝５２５を設けたのは、凸部５２を軽量化し、凹部５１と凸部５２が係合する際の摩擦抵抗を軽減するのに加え、係合を繰り返した結果として生じる傷を目立たなくするためである。
【００４２】
図９は、本実施形態の凸部５２が、エッジを有した上部外面を備えた中空式の上側部材５５と、それ以外の中空式の下側部材５６との２つの部材を備え、これらの部材が分離している状態を示す正面図である。凸部５２は、製造工程において、上側部材５５と前記下側部材５６を長軸方向に接合することで形成される。
【００４３】
図示のとおり、上側部材５５１の下部に有する開口部５５３の周縁に、下側部材５６と接合するための接合部５５２を設け、凸部５２を製造する際に、接合部５５２を下側部材５６の上部に有する開口５６１の内部に押し込んで上側部材５５及び下側部材５６を接合させる。上側部材５５と下側部材５６は共に中空式であり、特に、上側部材５５は上部底面５５４及び下部底面５５３共に開口にした中空貫通形状、即ち円筒状にすることができる。このように凸部５２を形成することにより、凸部５２、更には装身具用連結部品全体を軽量化することを可能にする。
【００４４】
接合部５５２は、断面がリング状でありその側面は略山型形状である。また、図１０で後述するとおり、接合部５５２には１又はそれ以上の長軸方向の溝５５３を設けている。下側部材５６の対応する接合部（図示せず）は上側部材５５１の当該接合部５５２と嵌合する形状のリング状の溝を有することは言うまでもない。また、図１１で後述するとおり、下側部材５６の内部には、上記接合部５５２の１又はそれ以上の溝５５３に対応する１又はそれ以上のピンを設けている。
【００４５】
図１０は、接合部５５２に長軸方向の溝５５３を設けた上側部材５５の斜視図である。長軸方向の溝５５３は、等間隔に４つ設けることが最適であるが、これに限定されることはない。
【００４６】
図１１は、製造工程において、このような凸部５２が上側部材５５と下側部材５６を長軸方向に接合することで形成される概略図を示す。図示のとおり、下側部材５６の内部には、上記接合部５５２の溝５５３に対応する１又はそれ以上のピンを設けており、凸部の製造時において、溝５５３にこのピンを位置合せしながら、接合部５５２を下側部材５６の開口５６１の内部に押し込んで上側部材と下側部材を接合させることにより形成する。尚、１又はそれ以上のピンは等間隔に２つ設けることが最適であるが、溝５５３同様、やはりこの個数に限定されることはない。
【００４７】
このように、本実施形態の装身具用連結部品は、凹部５１及び凸部５２を備え、更に、凸部５２が、上側部材５５及び下側部材５６を備えたものである。図１２は、このような３つの部材を備えた装身具用連結部品について、それぞれが分離した状態を示している。
【００４８】
このように、本実施形態の装身具用連結部品は、装身具用連結部品を凹部５１、並びに上側部材５５及び下側部材５６の３つの部材で構成することにより、装身具用連結部品全体の容積のかなりの部分を空洞とすることができ、軽量化の点で非常に有利なものとなる。
【産業上の利用可能性】
【００４９】
以上のとおり、本発明の装身具用連結部品は、図４に示すようなネックレスにおけるクラスプとして用いることが可能である。更に、上述した本発明の特徴により、連結部品の小型化・軽量化の問題が解消され、デザイン性を向上させることが可能となるから、このようなクラスプに限定されることはなく、ペンダント等の他の装身具や、装身具以外にも、例えばキーホルダーにも適用することができる。
【符号の説明】
【００５０】
１１                    リング部材
１２                    中空リング部材
１１１                  突起
１２１                  溝
３１，５１              凹部
３２，５２              凸部
３１１                  ピン
３２１                  エッジ
３３，３３’            接合部分
３４，３５，５４，５５  マグネット
３５０ａ                曲面部
３５０ｂ                平面部
３２３                  安定位置
３２２，３２２’        固定部
４５０                  ガイド線
４６０，４６０’        傾斜線
５１１                  ピン
５２１                  上部外面部分
５２７                  マグネット用爪
５５１                  上側部材
５５２                  下側部材
【図１】
0005981266.tif 000002
【図２Ａ】
0005981266.tif 000003
【図２Ｂ】
0005981266.tif 000004
【図３Ａ】
0005981266.tif 000005
【図３Ｂ】
0005981266.tif 000006
【図３Ｃ】
0005981266.tif 000007
【図４】
0005981266.tif 000008
【図５Ａ】
0005981266.tif 000009
【図５Ｂ】
0005981266.tif 000010
【図６Ａ】
0005981266.tif 000011
【図６Ｂ】
0005981266.tif 000012
【図７Ａ】
0005981266.tif 000013
【図７Ｂ】
0005981266.tif 000014
【図８Ａ】
0005981266.tif 000015
【図８Ｂ】
0005981266.tif 000016
【図９】
0005981266.tif 000017
【図１０】
0005981266.tif 000018
【図１１】
0005981266.tif 000019
【図１２】
0005981266.tif 000020